(57)【特許請求の範囲】
【請求項１】
液晶パネルと、
前記液晶パネル上の複数のゲートラインに対して、水平同期信号の１周期に所定期間αを加算した第１期間ずつイネーブルされる複数のゲート信号を供給するとともに、隣接する２つのゲートラインにそれぞれ供給されるゲート信号を互いに重畳させるゲートドライバと、
前記液晶パネル上の複数のデータラインに対して、画素データ信号を供給するデータドライバと、
前記複数のデータラインに対して、ブラックデータ信号及び前記データドライバからの前記画素データ信号を交互に供給する信号切替部と
を備え、
前記期間αは、１水平同期信号よりも短く設定され、
複数のゲートラインのうちの奇数番目のゲートラインに供給される奇数番目のゲート信号と、前記奇数番目のゲートラインに隣接する次の偶数番目のゲートラインに供給される偶数番目のゲート信号とは、前記所定期間αの２倍の期間２αの間、同時にイネーブルされ、
前記信号切替部に対する信号選択は、ソースイネーブル信号により決定され、
前記ソースイネーブル信号が基底論理を有する場合、画素データ信号の選択がなされ、
前記ソースイネーブル信号が特定論理を有する場合、ブラックデータ信号の選択がなされ、
前記信号切替部は、前記水平同期信号の１周期に所定期間αを加算した前記第１期間の間、前記画素データ信号を前記データラインに供給するとともに、前記水平同期信号の１周期よりも所定期間α短い第２期間の間、前記ブラックデータ信号を前記データラインに供給し、
前記ソースイネーブル信号の前記基底論理区間は、前記期間１Ｈ＋αに該当する幅を有し、
前記ソースイネーブル信号の前記特定論理区間は、前記期間１Ｈ−αに該当する幅を有し、
前記特定論理区間は、フレームにしたがって垂直走査期間に含まれる奇数及び偶数番目の水平同期信号と同一位相をさらに有し、
前記データドライバは、前記水平同期信号の２周期毎に前記画素データ信号を出力し、
前記画素データ信号の極性を、フレームの２周期毎に反転させ、
前記奇数番目のゲート信号は、前記水平同期信号と同一位相を有し、前記偶数番目のゲート信号は、前記水平同期信号よりも前記所定期間αだけ進んだ位相を有し、
互いに重畳するゲート信号のうち偶数番目のゲート信号は、フレームによって、以前及び次の奇数番目のゲート信号のいずれか一方と、前記期間２αの間、同時にイネーブルされる
ことを特徴とする液晶表示装置。
【請求項２】
液晶パネル上の複数のゲートラインに対して、水平同期信号の１周期に所定期間αを加算した第１期間ずつイネーブルされる複数のゲート信号を供給するとともに、隣接する２つのゲートラインにそれぞれ供給されるゲート信号を互いに重畳させる段階と、
前記液晶パネル上の複数のデータラインに供給すべき画素データ信号を生成する段階と、
前記複数のデータラインに２水平同期信号の周期毎に画素信号を供給する段階と、
前記データラインにブラックデータ信号と画素信号を交互に供給する段階と
を含み、
前記期間αは、１水平同期信号よりも短く設定され、
複数のゲートラインのうちの奇数番目のゲートラインに供給されるゲート信号と、前記奇数番目のゲートラインに隣接する次の偶数番目のゲートラインに供給されるゲート信号とは、前記所定期間αの２倍の期間２αの間、同時にイネーブルされ、
前記複数のデータラインに供給される前記画素データ信号の極性を、前記水平同期信号の２周期毎に反転させ、
前記ゲート信号を供給する段階は、
奇数番目のフレームでは、奇数番目のゲート信号が前記水平同期信号と同一位相を有し、偶数番目のゲート信号が前記水平同期信号よりも前記所定期間αだけ進んだ位相を有するようにする段階と、
偶数番目のフレームでは、前記偶数番目のゲート信号が前記水平同期信号と同一位相を有し、前記奇数番目のゲート信号が前記水平同期信号よりも所定期間αだけ進んだ位相を有するようにする段階と
を含み、
前記ブラックデータ信号と前記画素データ信号とを交互に前記複数のデータラインに供給する段階は、
前記水平同期信号の１周期に所定期間αを加算した前記第１期間の間、前記画素データ信号を前記複数のデータラインに供給する段階と、
前記水平同期信号の１周期よりも所定期間α短い第２期間の間、前記ブラックデータ信号を前記データラインに供給する段階と
を含む
ことを特徴とする液晶表示装置の駆動方法。
【発明の詳細な説明】
【技術分野】
【０００１】
本発明は、液晶表示装置に関し、特に、高いフレーム周波数で映像信号の入力時間を充分に確保する液晶表示装置及びその駆動方法に関する。
【背景技術】
【０００２】
情報化社会が発展するにつれて、表示装置に対する要求も次第に多様な形態になってきている。これに応じて、液晶表示装置（ＬＣＤ：Ｌｉｑｕｉｄ  Ｃｒｙｓｔａｌ  Ｄｉｓｐｌａｙ  ｄｅｖｉｃｅ）、プラズマディスプレイパネル（ＰＤＰ：Ｐｌａｓｍａ  Ｄｉｓｐｌａｙ  Ｐａｎｅｌ）、エレクトロルミネッセンスディスプレイ（ＥＬＤ：Ｅｌｅｃｔｒｏ  Ｌｕｍｉｎｅｓｃｅｎｔ  Ｄｉｓｐｌａｙ）など、様々なフラットパネルディスプレイが研究開発されており、一部は既に様々な機器において表示装置として活用されている。
【０００３】
その中でも液晶表示装置は、高画質、軽量、薄型、低消費電力などの利点を有するため、モバイル型の画像表示装置としてブラウン管（ＣＲＴ：Ｃａｔｈｏｄｅ  Ｒａｙ  Ｔｕｂｅ）に代わって現在最も広く使用されている。液晶表示装置は、ノート型コンピュータのモニタなどのモバイル型の液晶表示装置としてだけでなく、テレビモニタなどとしても多様に開発されている。
【０００４】
液晶表示装置は、液晶の光学的異方性と分極特性とを利用して画像を表示する。液晶に含まれる液晶分子は、所定の（または一定の）方向に配列されている。また、液晶分子の配列方向は、液晶に電界を印加することによって制御することができる。従って、液晶分子の配列方向を任意に調節することにより、液晶分子の配列が変化し、光学的異方性によって液晶分子の配列方向に沿って光の偏光状態が変化して画像情報を表現することができる。
【０００５】
液晶表示装置は、画像を表示する液晶パネルと、この液晶パネルを駆動するための駆動部とを備える。液晶パネルは、２つの基板間に形成された液晶層を備える。２つの基板のいずれか一方の基板において、複数のゲートラインと複数のデータラインとが交差することによって画定された各画素領域には、画素電極がそれぞれ形成される。この各画素電極は、２つの基板のいずれか一方の基板に形成される共通電極、及び液晶層の一部と共に液晶セルを構成する。
【０００６】
また、ゲートラインとデータラインとが交差する各交差部には、薄膜トランジスタがそれぞれ形成される。薄膜トランジスタは、対応するゲートライン上のゲート信号（またはスキャン信号）に応答して、対応するデータラインから対応する画素電極に供給されるデータ信号を切り替える。
【０００７】
このような液晶パネル上の液晶セルは、複数のゲートラインがゲート信号によって順次イネーブルされる度に、複数のデータラインに供給されるデータ信号によって１ライン分ずつ順次アクセスされる。よって、各液晶セルの分子配列方向が調節されて映像データに応じた画像が表示される。
【０００８】
駆動部は、液晶パネル上のゲートラインを駆動するゲートドライバと、液晶パネル上のデータラインを駆動するデータドライバと、これらゲートドライバ及びデータドライバの駆動タイミングを制御するタイミングコントローラとを含む。さらに、液晶表示装置は、液晶パネルに光を照射するバックライトユニットを含む。
【０００９】
このように構成される液晶表示装置は、６０Ｈｚのフレーム周波数で液晶パネルを駆動する。つまり、液晶表示装置は、１秒に６０枚の画像を液晶パネルに表示している。このように、６０Ｈｚのフレーム周波数で動画像が液晶パネル上に表示される場合、映像がぼけるようなモーションブラー（Ｍｏｔｉｏｎ  Ｂｌｕｒ）現象が発生する。よって、６０Ｈｚのフレーム周波数で液晶パネルを駆動する液晶表示装置においては、良質の動画像を表示することが困難であった。
【００１０】
このような問題を解決するための方法として、１２０Ｈｚのフレーム周波数で液晶パネルを駆動する液晶表示装置が提案されている。フレーム周波数が１２０Ｈｚの液晶表示装置は、フレーム周波数が６０Ｈｚの液晶表示装置に比べて２倍の速度で画像を切り替える。
【００１１】
また、他の方法として、液晶パネル上の液晶セルをインパルス状に駆動する疑似インパルス（Ｐｓｅｕｄｏ−Ｉｍｐｕｌｓｅ）駆動方式の液晶表示装置が提案されている。疑似インパルス駆動方式の液晶表示装置は、液晶パネル上の液晶セルにデータ信号とブラック信号とを交互に入力する。このような疑似インパルス駆動方式の液晶表示装置においても、液晶パネルは１２０Ｈｚで駆動される。液晶パネル上の各液晶セルには、データ信号及びブラック信号が交互に６０回ずつ記録される。つまり、疑似インパルス駆動方式においても、液晶パネルは１２０Ｈｚで駆動される。
【発明の開示】
【発明が解決しようとする課題】
【００１２】
上記のように、液晶パネルが１２０Ｈｚのフレーム周波数で駆動される場合、液晶パネル上の各ゲートラインがイネーブルされる期間は、フレーム周波数が６０Ｈｚの液晶表示装置に比べて半分に減る。よって、データ信号が薄膜トランジスタを介して液晶セルに入力される時間を充分に確保することは困難である。従って、フレーム周波数が１２０Ｈｚの液晶表示装置によって表示される画像の画質が低下するという問題点があった。
【００１３】
本発明は、上記の問題点を解決するためになされたもので、高いフレーム周波数でも映像信号の入力時間を充分に確保することのできる液晶表示装置及びその駆動方法を提供することを目的とする。
【課題を解決するための手段】
【００１４】
上記目的を達成するための本発明に係る液晶表示装置は、液晶パネルと、前記液晶パネル上の複数のゲートラインに対して、水平同期信号の１周期に所定期間αを加算した第１期間ずつイネーブルされる複数のゲート信号を供給するとともに、隣接する２つのゲートラインにそれぞれ供給されるゲート信号を互いに重畳させるゲートドライバと、前記液晶パネル上の複数のデータラインに対して、画素データ信号を供給するデータドライバと、前記複数のデータラインに対して、ブラックデータ信号及び前記データドライバからの前記画素データ信号を交互に供給する信号切替部とを備え、前記期間αは、１水平同期信号よりも短く設定され、複数のゲートラインのうちの奇数番目のゲートラインに供給される奇数番目のゲート信号と、前記奇数番目のゲートラインに隣接する次の偶数番目のゲートラインに供給される偶数番目のゲート信号とは、前記所定期間αの２倍の期間２αの間、同時にイネーブルされ、前記信号切替部に対する信号選択は、ソースイネーブル信号により決定され、前記ソースイネーブル信号が基底論理を有する場合、画素データ信号の選択がなされ、前記ソースイネーブル信号が特定論理を有する場合、ブラックデータ信号の選択がなされ、前記信号切替部は、前記水平同期信号の１周期に所定期間αを加算した前記第１期間の間、前記画素データ信号を前記データラインに供給するとともに、前記水平同期信号の１周期よりも所定期間α短い第２期間の間、前記ブラックデータ信号を前記データラインに供給し、前記ソースイネーブル信号の前記基底論理区間は、前記期間１Ｈ＋αに該当する幅を有し、前記ソースイネーブル信号の前記特定論理区間は、前記期間１Ｈ−αに該当する幅を有し、前記特定論理区間は、フレームにしたがって垂直走査期間に含まれる奇数及び偶数番目の水平同期信号と同一位相をさらに有し、前記データドライバは、前記水平同期信号の２周期毎に前記画素データ信号を出力し、前記画素データ信号の極性を、フレームの２周期毎に反転させ、前記奇数番目のゲート信号は、前記水平同期信号と同一位相を有し、前記偶数番目のゲート信号は、前記水平同期信号よりも前記所定期間αだけ進んだ位相を有し、互いに重畳するゲート信号のうち偶数番目のゲート信号は、フレームによって、以前及び次の奇数番目のゲート信号のいずれか一方と、前記期間２αの間、同時にイネーブルされることを特徴とする。
また、本発明に係る液晶表示装置の駆動方法は、液晶パネル上の複数のゲートラインに対して、水平同期信号の１周期に所定期間αを加算した第１期間ずつイネーブルされる複数のゲート信号を供給するとともに、隣接する２つのゲートラインにそれぞれ供給されるゲート信号を互いに重畳させる段階と、前記液晶パネル上の複数のデータラインに供給すべき画素データ信号を生成する段階と、前記複数のデータラインに２水平同期信号の周期毎に画素信号を供給する段階と、前記データラインにブラックデータ信号と画素信号を交互に供給する段階とを含み、前記期間αは、１水平同期信号よりも短く設定され、複数のゲートラインのうちの奇数番目のゲートラインに供給されるゲート信号と、前記奇数番目のゲートラインに隣接する次の偶数番目のゲートラインに供給されるゲート信号とは、前記所定期間αの２倍の期間２αの間、同時にイネーブルされ、前記複数のデータラインに供給される前記画素データ信号の極性を、前記水平同期信号の２周期毎に反転させ、前記ゲート信号を供給する段階は、奇数番目のフレームでは、奇数番目のゲート信号が前記水平同期信号と同一位相を有し、偶数番目のゲート信号が前記水平同期信号よりも前記所定期間αだけ進んだ位相を有するようにする段階と、偶数番目のフレームでは、前記偶数番目のゲート信号が前記水平同期信号と同一位相を有し、前記奇数番目のゲート信号が前記水平同期信号よりも所定期間αだけ進んだ位相を有するようにする段階とを含み、前記ブラックデータ信号と前記画素データ信号とを交互に前記複数のデータラインに供給する段階は、前記水平同期信号の１周期に所定期間αを加算した前記第１期間の間、前記画素データ信号を前記複数のデータラインに供給する段階と、前記水平同期信号の１周期よりも所定期間α短い第２期間の間、前記ブラックデータ信号を前記データラインに供給する段階とを含むことを特徴とする。
【発明の効果】
【００３０】
前述したような構成によれば、本発明に係る液晶表示装置によれば、液晶パネル上の液晶セルの充電時間が、水平同期信号の周期より長くなるようにし、画素データ信号が、液晶パネル１０２上の液晶セルに正確に充電されるようにする。よって、本発明に係る液晶表示装置は、高いフレーム周波数でも高画質の画像を提供することができる。
【００３１】
また、本発明に係る液晶表示装置によれば、画素データ信号及びブラックデータ信号が、ライン及びフレームの変更によって交互に液晶パネル上の液晶セルに充電されるので、モーションブラー現象の発生及び残像の発生が最小化される。
また、画素データ信号の充電時間が、水平同期信号の周期より長くなり、画素データ信号が、正確に液晶パネル上の液晶セルに充電される。よって、本発明に係る液晶表示装置は、液晶パネル上に表示される画像の画質を高画質に改善するとともに、残像がほとんどない画像を提供することができる。
【００３２】
上記目的以外にも、本発明の他の目的、他の利点、及び他の特徴が、添付図面を参照した次の実施形態の詳細な説明により明白になるであろう。
【発明を実施するための最良の形態】
【００３３】
以下、添付図面を参照して本発明の各実施の形態について詳細に説明する。
【００３４】
実施の形態１．
図１は、本発明の実施の形態１に係る液晶表示装置の概略構成を説明するブロック図である。図１に示すように、本発明の実施の形態１に係る液晶表示装置は、液晶パネル１０２と、液晶パネル１０２上の複数のゲートラインＧＬ１〜ＧＬｎを駆動するゲートドライバ１０４と、液晶パネル１０２上の複数のデータラインＤＬ１〜ＤＬｍを駆動するデータドライバ１０６とを備える。液晶パネル１０２は、ゲートラインＧＬ１〜ＧＬｎとデータラインＤＬ１〜ＤＬｍとが交差することによって複数の画素領域に画定される。これら各画素領域には、図２に示すような画素が形成される。
【００３５】
図２に示す画素は、対応するデータラインＤＬと共通電極Ｖｃｏｍとの間に直列接続された薄膜トランジスタＭＴ及び液晶セルＣＬＣを備える。薄膜トランジスタＭＴは、対応するゲートラインＧＬ上のゲート信号（またはスキャン信号）に応答して、対応するデータラインＤＬから対応する液晶セルＣＬＣに供給されるデータ信号を切り替える。
【００３６】
図示していないが、液晶セルＣＬＣは、２つの基板間に形成された液晶層と、２つの基板に分散されるか、または２つの基板のいずれか一方に全て形成された画素電極及び共通電極とを備える。また、画素電極が薄膜トランジスタＭＴに接続される。
このように構成された液晶セルＣＬＣは、薄膜トランジスタＭＴからのデータ信号と共通電極Ｖｃｏｍ上の共通電圧との電位差により、液晶分子の配列方向が変えられる。これにより、液晶セルＣＬＣを通過する光量が変わって映像データに応じた画像が液晶パネル１０２上に表示される。
【００３７】
液晶パネル１０２には、複数の画素領域を画定する複数のゲートラインＧＬ１〜ＧＬｎとデータラインＤＬ１〜ＤＬｍとが配列され、その交差部には、薄膜トランジスタＴＦＴと、薄膜トランジスタＴＦＴに電気的に接続された画素電極１１０とが形成される。液晶パネル１０２は、２つのガラス基板と、２つのガラス基板間に形成された液晶層とからなる。
【００３８】
図１に示すように、ゲートドライバ１０４は、液晶パネル１０２上のゲートラインＧＬ１〜ＧＬｎを順次イネーブル（Ｅｎａｂｌｅ）させる複数のゲート信号を発生する。複数のゲート信号は、図４に示すように、それぞれ１つの水平同期信号の１周期１Ｈよりも所定期間αだけ長い幅を有する。
これにより、ゲートラインＧＬ１〜ＧＬｎは、それぞれ水平同期信号の１周期１Ｈよりも所定期間αだけ長い第１期間（１Ｈ＋α）の間イネーブルされる。所定期間αは、水平同期信号のうち走査期間よりも短く設定される。
【００３９】
複数のゲート信号のうち、奇数番目のゲート信号は、水平同期信号と同一位相を有するが、偶数番目のゲート信号は、水平同期信号よりも所定期間αだけ進んだ位相を有する。つまり、奇数番目のゲート信号とその次の偶数番目のゲート信号とは、所定期間αの２倍の期間２αの間、重畳する。
これにより、液晶パネル１０２上の各奇数番目のゲートラインＧＬ１、ＧＬ３、…、ＧＬｎ−１では、水平同期信号間の境界部において、期間２αの間は、隣接する次の偶数番目のゲートラインＧＬ２、ＧＬ４、…、ＧＬｎと同時にイネーブルされるが、水平同期信号の残りの第２期間（１Ｈ−α）は、排他的にイネーブルされる。
【００４０】
データドライバ１０６は、液晶パネル１０２上のゲートラインＧＬ１〜ＧＬｎのいずれか１つがイネーブルされる度に、水平同期信号の１周期１Ｈの間、１ライン分のデータ信号を複数のデータラインＤＬ１〜ＤＬｍに供給し、１ライン分の液晶セルＣＬＣは、データ信号の電圧を充電する。
【００４１】
また、データドライバ１０６は、水平同期信号の１周期１Ｈ毎に１ライン分の画素データを入力し、その入力された１ライン分の画素データをアナログ形態の画素データ信号に変換する。この変換された画素データ信号は、液晶パネル１０２上のデータラインＤＬ１〜ＤＬｍにそれぞれ供給される。１ライン分の画素データには、赤色Ｒ、緑色Ｇ、及び青色Ｂの画素データが含まれる。よって、１ライン分の画素データ信号も赤色Ｒ、緑色Ｇ、及び青色Ｂの画素データ信号を含む。
また、データドライバ１０６から出力される画素データ信号は、水平同期信号の２周期２Ｈ毎に、共通電圧Ｖｃｏｍを基準として正極性及び負極性が反転する。つまり、液晶パネル１０２は、２ドット反転方式で駆動される。
【００４２】
このように、液晶パネル１０２上の垂直方向の液晶セルＣＬＣ（すなわち、１カラムの液晶セル）には、垂直方向で、かつ２つの画素領域毎に相反する極性の画素データ信号が充電される。同じ極性の画素データ信号が充電される垂直方向の隣接する液晶セルＣＬＣは、相手の液晶セルＣＬＣに供給される画素データ信号を、所定期間αの間、さらに充電する。
【００４３】
奇数番目のゲートラインＧＬ１、ＧＬ３、…、ＧＬｎ−１上の各液晶セルＣＬＣは、水平同期信号の１周期１Ｈの間、各液晶セルＣＬＣに供給される画素データ信号を充電した後、追加期間である所定期間αの間、隣接する偶数番目のゲートラインＧＬ２、ＧＬ４、…、ＧＬｎに供給される画素データ信号を充電する。
【００４４】
一方、偶数番目のゲートラインＧＬ２、ＧＬ４、…、ＧＬｎ上の各液晶セルＣＬＣは、まず、追加期間である所定期間αの間に、先行の奇数番目のゲートラインＧＬ１、ＧＬ３、…、ＧＬｎ−１上の液晶セルＣＬＣに供給される画素データ信号を充電した後、水平同期信号の１周期１Ｈの間、各液晶セルＣＬＣに供給される画素データ信号を充電する。
【００４５】
これにより、液晶パネル１０２上の液晶セルＣＬＣについて、高いフレーム周波数でも画素データ信号を充電するのに充分な時間が確保される。
この結果、本発明の実施の形態１に係る液晶表示装置は、高いフレーム周波数の映像データによって表示される画像の画質を向上させることができる。
【００４６】
図１の液晶表示装置は、ゲートドライバ１０４及びデータドライバ１０６の駆動タイミングを制御するタイミングコントローラ１０８を備える。タイミングコントローラ１０８は、図示していない外部のシステム（例えば、コンピュータシステムのグラフィックモジュール、またはテレビシステムの映像復調モジュール）からの垂直同期信号Ｖｓｙｎｃ、水平同期信号Ｈｓｙｎｃ、データイネーブル信号ＤＥ、及びクロック信号ＣＬＫを利用し、ゲートドライバ１０４の駆動タイミング制御のためのゲート制御信号ＧＣＳと、データドライバ１０６の駆動タイミング制御のためのデータ制御信号ＤＣＳとを発生する。
【００４７】
データ制御信号ＤＣＳには、ソースイネーブル信号ＳＯＥ、クロック信号ＣＬＫ、及び極性反転信号ＰＯＬが含まれる。極性反転信号ＰＯＬは、水平同期信号の２周期２Ｈ毎に極性が反転し、画素データ信号の極性が、２つのゲートラインＧＬ１〜ＧＬｎ毎に反転するようになっている。また、極性反転信号ＰＯＬは、フレーム毎に反転し、液晶パネル１０２上の液晶セルＣＬＣに供給される画素データ信号の極性が反転するようになっている。
【００４８】
例えば、極性反転信号ＰＯＬが、奇数番目のフレームでは、特定論理（すなわち、ハイ論理レベル）を有するが、偶数番目のフレームでは、基底論理（例えば、ロー論理レベル）を有するとする。このとき、奇数番目のフレームで発生する画素データ信号は、図３Ａに示すように、液晶パネル１０２の左側上段から水平及び垂直方向に進むことにより、２つの画素（または液晶セルＣＬＣ）毎に正極性及び負極性が交互に反転する。反対に、偶数番目のフレームでの画素データ信号は、図３Ｂのように、液晶パネル１０２の左側上段から水平及び垂直方向に進むことにより、２つの画素（または液晶セルＣＬＣ）毎に負極性及び正極性が交互に反転する。
【００４９】
ゲート制御信号ＧＣＳは、第１及び第２ゲートスタートパルスＧＳＰ１、ＧＳＰ２、並びに少なくとも２つのシフトクロックを含む。第１ゲートスタートパルスＧＳＰ１は、奇数番目のゲートラインＧＬ１、ＧＬ３、…、ＧＬｎ−１に供給されるゲート信号を発生するために使用され、第２ゲートスタートパルスＧＳＰ２は、偶数番目のゲートラインＧＬ２、ＧＬ４、…、ＧＬｎに供給されるゲート信号を発生するために使用される。
【００５０】
また、第１ゲートスタートパルスＧＳＰ１は、水平同期信号Ｈｓｙｎｃと位相が同一であり、第２ゲートスタートパルスＧＳＰ２は、第１ゲートスタートパルスＧＳＰ１の次に続く水平同期信号Ｈｓｙｎｃよりも所定期間αだけ進んだ位相を有する。つまり、第２ゲートスタートパルスＧＳＰ２は、第１ゲートスタートパルスＧＳＰ１に比べて、水平同期信号の１周期１Ｈから所定期間αが減算された第２期間（１Ｈ−α）だけ遅れた位相を有する。
【００５１】
これにより、奇数番目のゲートラインＧＬ１、ＧＬ３、…、ＧＬｎ−１に供給される各ゲート信号と、隣接する次の偶数番目のゲートラインＧＬ２、ＧＬ４、…、ＧＬｎに供給される各ゲート信号とは、期間２αの間、同時にイネーブルされる。よって、奇数番目のゲートラインＧＬ１、ＧＬ３、…、ＧＬｎ−１上の各液晶セルＣＬＣは、水平同期信号の１周期１Ｈの間、各液晶セルＣＬＣに供給される画素データ信号を充電した後、追加期間である所定期間αの間、隣接する偶数番目のゲートラインＧＬ２、ＧＬ４、…、ＧＬｎに供給される画素データ信号を充電する。
【００５２】
一方、偶数番目のゲートラインＧＬ２、ＧＬ４、…、ＧＬｎ上の各液晶セルＣＬＣは、まず、追加期間である所定期間αの間に、先行の奇数番目のゲートラインＧＬ１、ＧＬ３、…、ＧＬｎ−１上の液晶セルＣＬＣに供給される画素データ信号を充電した後、水平同期信号の１周期１Ｈの間、各液晶セルＣＬＣに供給される画素データ信号を充電する。
【００５３】
ここで、奇数番目のゲートラインＧＬ１、ＧＬ３、…、ＧＬｎ−１上の液晶セルＣＬＣに供給される画素データ信号と、偶数番目のゲートラインＧＬ２、ＧＬ４、…、ＧＬｎ上の液晶セルＣＬＣに供給される画素データ信号とは、同じ極性を有する。
従って、液晶パネル１０２上の液晶セルＣＬＣについて、高いフレーム周波数でも画素データ信号を充電するのに充分な時間が確保される。
この結果、本発明の実施の形態１に係る液晶表示装置は、高いフレーム周波数の映像データによって表示される画像の画質を向上させることができる。
【００５４】
また、タイミングコントローラ１０８は、外部のシステムから赤色Ｒ、緑色Ｇ、及び青色Ｂの画素データをフレーム単位で入力する。１フレーム単位の赤色Ｒ、緑色Ｇ、及び青色Ｂの画素データは、タイミングコントローラ１０８によって１ライン分ずつ並び替えられる。このように並び替えられたフレーム単位の赤色Ｒ、緑色Ｇ、及び青色の画素データは、１ライン分ずつデータドライバ１０６に供給される。
【００５５】
すると、データドライバ１０６は、水平同期信号の１周期１Ｈ毎に１ライン分の赤色Ｒ、緑色Ｇ、及び青色Ｂの画素データを、アナログ形態の赤色Ｒ、緑色Ｇ、及び青色Ｂの画素データ信号に変換する。このように変換された１ライン分の赤色Ｒ、緑色Ｇ、及び青色Ｂの画素データ信号は、水平同期信号の１周期１Ｈの間、液晶パネル１０２上の複数のデータラインＤＬ１〜ＤＬｍをそれぞれ介して、１ライン分の液晶セルＣＬＣにそれぞれ充電される。
【００５６】
このように、本発明の実施の形態１に係る液晶表示装置によれば、液晶パネル１０２上の液晶セルＣＬＣの充電時間が、水平同期信号の１周期１Ｈよりも長くなり、画素データ信号が、液晶パネル１０２上の液晶セルＣＬＣに正確に充電される。よって、液晶パネル１０２上に表示される画像の画質を高画質に改善することができる。
【００５７】
実施の形態２．
図５は、本発明の実施の形態２に係る液晶表示装置の概略を説明するブロック図である。図５の液晶表示装置は、液晶パネル２０２と、液晶パネル２０２上の複数のゲートラインＧＬ１〜ＧＬｎを駆動するゲートドライバ２０４と、液晶パネル２０２上の複数のデータラインＤＬ１〜ＤＬｍを駆動するデータドライバ２０６と、データドライバ２０４と液晶パネル２０２上のデータラインＤＬ１〜ＤＬｍとの間に接続された信号切替部２０８とを備える。液晶パネル２０２は、図１に示す液晶パネル１０２と同じ構成を有する。従って、液晶パネル２０２の構成、動作、及び作用効果は、図１の液晶パネル１０２についての説明により容易に理解されるので、その説明は省略する。
【００５８】
ゲートドライバ２０４は、液晶パネル２０２上のゲートラインＧＬ１〜ＧＬｎを順次イネーブル（Ｅｎａｂｌｅ）させる複数のゲート信号を発生する。複数のゲート信号は、図６Ａ及び図６Ｂに示すように、それぞれ１つの水平同期信号の１周期１Ｈよりも所定期間αだけ長い幅を有する。
これにより、ゲートラインＧＬ１〜ＧＬｎは、それぞれ水平同期信号の１周期１Ｈよりも所定期間αだけ長い第１期間（１Ｈ＋α）の間イネーブルされる。所定期間αは、水平同期信号のうち走査期間よりも短く設定される。
【００５９】
ここで、奇数番目のゲートラインＧＬ１、ＧＬ３、…、ＧＬｎ−１に供給されるゲート信号と、偶数番目のゲートラインＧＬ２、ＧＬ４、…、ＧＬｎに供給されるゲート信号とは、奇数番目のフレーム（すなわち、奇数番目の垂直同期期間）と偶数番目のフレーム（すなわち、偶数番目の垂直同期期間）とによって異なる位相を有する。
【００６０】
図６Ａに示すように、奇数番目のフレームでは、奇数番目のゲートラインＧＬ１、ＧＬ３、…、ＧＬｎ−１上のゲート信号は、水平同期信号と同一位相を有するが、偶数番目のゲートラインＧＬ２、ＧＬ４、…、ＧＬｎ上のゲート信号は、水平同期信号よりも所定期間αだけ進んだ位相を有する。
つまり、奇数番目のフレームでは、奇数番目のゲートラインＧＬ１、ＧＬ３、…、ＧＬｎ−１上の各ゲート信号と、直後に発生する偶数番目のゲートラインＧＬ２、ＧＬ４、…、ＧＬｎ上のゲート信号とは、所定期間αの２倍の期間２αだけ重畳する。
【００６１】
奇数番目のゲート信号と直後の偶数番目のゲート信号とは、水平同期信号の２周期２Ｈだけを占有する。これにより、奇数番目のゲートラインＧＬ１、ＧＬ３、…、ＧＬｎ−１と、次に隣接する偶数番目のゲートラインＧＬ２、ＧＬ４、…、ＧＬｎとは、水平同期信号間の境界部の付近で、期間２αだけ同時にイネーブルされる。
【００６２】
また、図６Ｂに示すように、偶数番目のフレームでは、奇数番目のゲートラインＧＬ１、ＧＬ３、…、ＧＬｎ−１上のゲート信号は、水平同期信号よりも所定期間αだけ進んだ位相を有するが、偶数番目のゲートラインＧＬ２、ＧＬ４、…、ＧＬｎ上のゲート信号は、水平同期信号と同一位相を有する。
つまり、偶数番目のフレームでは、偶数番目のゲートラインＧＬ２、ＧＬ４、…、ＧＬｎ−２上の各ゲート信号と、直後に発生する奇数番目のゲートラインＧＬ３、ＧＬ５、…、ＧＬｎ−１上のゲート信号とは、期間２αだけ重畳する。
なお、偶数番目のゲートラインＧＬ２、ＧＬ４、…、ＧＬｎ−２上の各ゲート信号は、直前の奇数番目のゲートラインＧＬ１、ＧＬ３、…、ＧＬｎ−３上のゲート信号と、期間２αだけ重畳してもよい。
【００６３】
偶数番目のゲート信号と直後に発生する奇数番目のゲート信号とは、水平同期信号の２周期２Ｈだけを占有する。これにより、偶数番目のゲートラインＧＬ２、ＧＬ４、…、ＧＬｎ−２と、次に隣接する奇数番目のゲートラインＧＬ３、ＧＬ５、…、ＧＬｎ−１とは、水平同期信号間の境界部の付近で、期間２αだけ同時にイネーブルされる。
この場合、第１のゲートラインＧＬ１上に供給されるゲート信号は、垂直走査パルスに比べて所定期間αだけ進んだ位相を有するが、最後のゲートラインＧＬｎに供給されるゲート信号は、垂直走査パルスの終了時点より所定期間αだけ長くなる。
【００６４】
データドライバ２０６は、液晶パネル２０２上のゲートラインＧＬ１〜ＧＬｎのうち、奇数番目のゲートラインＧＬ１、ＧＬ３、…、ＧＬｎ−１、または偶数番目のゲートラインＧＬ２、ＧＬ４、…、ＧＬｎのいずれか一方がイネーブルされる度に、水平同期信号の１周期１Ｈよりも所定期間αだけ長い第１期間（１Ｈ＋α）以上、または水平同期信号の２周期２Ｈの間、１ライン分の画素データ信号を複数のデータラインＤＬ１〜ＤＬｍに供給し、１ライン分の液晶セルＣＬＣは、画素データ信号の電圧を充電する。
【００６５】
つまり、奇数番目のフレーム（すなわち、奇数番目の垂直走査区間）では、データドライバ２０６は、奇数番目のゲートラインＧＬ１、ＧＬ３、…、ＧＬｎ−１がイネーブルされるときに、１ライン分の画素データ信号を出力する。また、偶数番目のフレーム（すなわち、偶数番目の垂直走査区間）では、データドライバ２０６は、偶数番目のゲートラインＧＬ２、ＧＬ４、…、ＧＬｎがイネーブルされるときに、１ライン分の画素データ信号を出力する。
【００６６】
また、データドライバ２０６は、水平同期信号の２周期２Ｈ毎に１ライン分の画素データを入力し、その入力された１ライン分の画素データをアナログ形態の画素データ信号に変換する。この変換された画素データ信号は、信号切替部２０８を介して液晶パネル２０２上のデータラインＤＬ１〜ＤＬｍにそれぞれ供給される。１ライン分の画素データには、赤色Ｒ、緑色Ｇ、及び青色Ｂの画素データが含まれる。よって、１ライン分の画素データ信号も赤色Ｒ、緑色Ｇ、及び青色Ｂの画素データ信号を含む。
また、データドライバ２０６から出力される画素データ信号は、水平同期信号の２周期２Ｈ毎に、共通電圧Ｖｃｏｍを基準として正極性及び負極性が反転する。
【００６７】
信号切替部２０８は、ブラックデータ信号ＢＤとデータドライバ２０６からの画素データ信号とを交互に液晶パネル２０２上のデータラインＤＬ１〜ＤＬｍに供給する。信号切替部２０８の信号選択は、ソースイネーブル信号ＳＯＥによって決定される。ソースイネーブル信号ＳＯＥは、図６Ａ及び図６Ｂに示すように、画素データ信号の選択を指定する基底論理（例えば、ロー論理レベル）区間と、ブラックデータ信号ＢＤの選択を指定する特定論理（例えば、ハイ論理レベル）区間とを繰り返し有する。
【００６８】
ソースイネーブル信号ＳＯＥにおいて、基底論理区間は、水平同期信号の１周期１Ｈに所定期間αが付加された第１期間（１Ｈ＋α）に該当する幅を有し、特定論理区間は、水平同期信号の１周期１Ｈよりも所定期間αだけ少ない第２期間（１Ｈ−α）に該当する幅を有する。また、ソースイネーブル信号ＳＯＥの特定論理区間は、フレームによって垂直走査期間に含まれる奇数番目または偶数番目の水平同期信号と同一位相を有する。
【００６９】
図６Ａに示すように、奇数番目のフレーム（すなわち、奇数番目の垂直走査期間）においては、ソースイネーブル信号ＳＯＥの基底論理区間は、奇数番目の水平同期信号と同一位相を有する。信号切替部２０８は、奇数番目の水平同期信号の１周期１Ｈ、及び次の偶数番目の水平同期信号の最初の所定期間αは、データドライバ２０６からの画素データ信号を液晶パネル２０２上のデータラインＤＬ１〜ＤＬｍに供給する。それに対して、次の偶数番目の水平同期信号の最初の所定期間αを除いた残りの第２期間（１Ｈ−α）は、ブラックデータ信号を液晶パネル２０２上のデータラインＤＬ１〜ＤＬｍに供給する。
【００７０】
また、図６ＡのＶｄａｔａのように、液晶パネル２０２上の奇数番目のライン上の液晶セルＣＬＣは、第１期間（１Ｈ＋α）の間、画素データ信号を充電するが、次の偶数番目のライン上の液晶セルＣＬＣは、第２期間（１Ｈ−α）の間、ブラックデータ信号ＢＤを充電する。液晶パネル２０２上の奇数番目のラインには、映像データによる画像が表示されるが、偶数番目のラインには、ブラックデータによる画像が表示される。これにより、奇数番目のゲートラインＧＬ１、ＧＬ３、…、ＧＬｎ−１上の液晶セルＣＬＣには、画素データ信号を正確に充電できる。
【００７１】
奇数番目のライン上の液晶セルＣＬＣに充電される画素データ信号は、水平及び垂直方向に進むにつれて正極性及び負極性が交互に反転する。また、奇数番目のライン上の液晶セルＣＬＣに充電される画素データ信号は、フレームによって正極性及び負極性が交互に反転する。
例えば、４ｋ＋１番目のフレームでは、最初の奇数番目のラインの左側の２つの液晶セルＣＬＣに正極性の画素データ信号が充電され、右側及び下方に進むにつれて負極性及び正極性の画素データ信号が残りの液晶セルＣＬＣに交互に充電される。また、４ｋ＋３番目のフレームでは、最初の奇数番目のラインの左側の２つの液晶セルＣＬＣに負極性の画素データ信号が充電され、右側及び下方に進むにつれて正極性及び負極性の画素データ信号が残りの液晶セルＣＬＣに交互に充電される。
【００７２】
図６Ｂに示すように、偶数番目のフレーム（すなわち、偶数番目の垂直走査期間）においては、ソースイネーブル信号ＳＯＥの基底論理区間は、偶数番目の水平同期信号と同一位相を有する。信号切替部２０８は、偶数番目の水平同期信号の１周期１Ｈ、及び次の奇数番目の水平同期信号の最初の所定期間αは、データドライバ２０６からの画素データ信号を液晶パネル２０２上のデータラインＤＬ１〜ＤＬｍに供給する。それに対して、最初の所定期間αを除いた次の奇数番目の水平同期信号の残りの第２期間（１Ｈ−α）は、ブラックデータ信号を液晶パネル２０２上のデータラインＤＬ１〜ＤＬｍに供給する。
【００７３】
また、図６ＢのＶｄａｔａのように、液晶パネル２０２上の偶数番目のライン上の液晶セルＣＬＣは、第１期間（１Ｈ＋α）の間、画素データ信号を充電するが、次の奇数番目のライン上の液晶セルＣＬＣは、第２期間（１Ｈ−α）の間、ブラックデータ信号ＢＤを充電する。液晶パネル２０２上の偶数番目のラインには、映像データによる画像が表示されるが、奇数番目のラインには、ブラックデータによる画像が表示される。これにより、偶数番目のゲートラインＧＬ２、ＧＬ４、…、ＧＬｎ上の液晶セルＣＬＣには、画素データ信号を正確に充電できる。
【００７４】
偶数番目のライン上の液晶セルＣＬＣに充電される画素データ信号は、水平及び垂直方向に進むにつれて正極性及び負極性が交互に反転する。また、偶数番目のライン上の液晶セルＣＬＣに充電される画素データ信号は、フレームによって正極性及び負極性が交互に反転する。
例えば、４ｋ＋２番目のフレームでは、最初の偶数番目のラインの左側の２つの液晶セルＣＬＣに正極性の画素データ信号が充電され、右側及び下方に進むにつれて負極性及び正極性の画素データ信号が残りの液晶セルＣＬＣに交互に充電される。また、４ｋ＋０番目のフレームでは、最初の偶数番目のラインの左側の２つの液晶セルＣＬＣに負極性の画素データ信号が充電され、右側及び下方に進むにつれて正極性及び負極性の画素データ信号が残りの液晶セルＣＬＣに交互に充電される。
【００７５】
図５の液晶表示装置は、ゲートドライバ２０４、データドライバ２０６、及び信号切替部２０８の駆動タイミングを制御するタイミングコントローラ２１０を備える。タイミングコントローラ２１０は、図示していない外部のシステム（例えば、コンピュータシステムのグラフィックモジュール、またはテレビシステムの映像復調モジュール）からの垂直同期信号Ｖｓｙｎｃ、水平同期信号Ｈｓｙｎｃ、データイネーブル信号ＤＥ、及びクロック信号ＣＬＫを利用し、ゲートドライバ２０４の駆動タイミング制御のためのゲート制御信号ＧＣＳと、データドライバ２０６及び信号切替部２０８の駆動タイミング制御のためのデータ制御信号ＤＣＳとを発生する。
【００７６】
データ制御信号ＤＣＳには、ソースイネーブル信号ＳＯＥ、クロック信号ＣＬＫ、及び極性反転信号ＰＯＬが含まれる。極性反転信号ＰＯＬは、水平同期信号の２周期２Ｈ毎に極性が反転し、画素データ信号の極性が、２つのゲートラインＧＬ１〜ＧＬｎ毎に反転するようになっている。また、極性反転信号ＰＯＬは、フレーム毎に位相が９０゜ずつ遅れて、液晶パネル２０２上の液晶セルＣＬＣに供給される画素データ信号の極性が反転するようになっている。
【００７７】
図７に示すように、極性反転信号ＰＯＬは、４ｋ＋１番目のフレームでは、ＰＯＬ１と同じ波形を、４ｋ＋２番目のフレームでは、ＰＯＬ２と同じ波形を、４ｋ＋３番目のフレームでは、ＰＯＬ３と同じ波形を、４ｋ＋０番目のフレームでは、ＰＯＬ４と同じ波形をそれぞれ有する。
従って、４ｋ＋１及び４ｋ＋３番目のフレームでは、奇数番目のゲートラインＧＬ１、ＧＬ３、…、ＧＬｎ−１及び次に隣接する偶数番目のゲートラインＧＬ２、ＧＬ４、…、ＧＬｎがイネーブルされるとき、正極性または負極性の画素データ信号がデータドライバ２０６から出力される。
【００７８】
例えば、４ｋ＋１番目のフレームで最初の奇数番目のゲートライン上の左側の２つの液晶セルＣＬＣに正極性の画素データ信号が供給されると、４ｋ＋３番目のフレームでは、最初の奇数番目のゲートライン上の左側の２つの液晶セルＣＬＣに負極性の画素データ信号が供給される。すなわち、４ｋ＋１及び４ｋ＋３番目のフレームでは、奇数番目のゲートラインＧＬ１、ＧＬ３、…、ＧＬｎ−１及び次に隣接する偶数番目のゲートラインＧＬ２、ＧＬ４、…、ＧＬｎがイネーブルされるとき、正極性または負極性の画素データ信号がデータドライバ２０６から出力される。
【００７９】
例えば、４ｋ＋２番目のフレームで最初の偶数番目のゲートライン上の左側の２つの液晶セルＣＬＣに正極性の画素データ信号が供給されると、４ｋ＋０番目のフレームでは、最初の偶数番目のゲートライン上の左側の２つの液晶セルＣＬＣに負極性の画素データ信号が供給される。
このような極性反転信号ＰＯＬは、タイミングコントローラ２１０に設置された極性信号発生部２１０Ａで発生してデータドライバ２０６に供給される。ソースイネーブル信号ＳＯＥの説明は、信号切替部２０８についての記載から十分に理解できるので省略する。
【００８０】
ゲート制御信号ＧＣＳは、第１及び第２ゲートスタートパルスＧＳＰ１、ＧＳＰ２、並びに少なくとも２つのシフトクロックを含む。第１ゲートスタートパルスＧＳＰ１は、奇数番目のゲートラインＧＬ１、ＧＬ３、…、ＧＬｎ−１に供給されるゲート信号を発生するために使用され、第２ゲートスタートパルスＧＳＰ２は、偶数番目のゲートラインＧＬ２、ＧＬ４、…、ＧＬｎに供給されるゲート信号を発生するために使用される。これら第１及び第２ゲートスタートパルスＧＳＰ１、ＧＳＰ２は、奇数番目のフレームか、偶数番目のフレームかによって位相が異なる。
【００８１】
奇数番目のフレームでは、図６Ａに示すように、第１ゲートスタートパルスＧＳＰ１１は、水平同期信号Ｈｓｙｎｃと位相が同一であり、第２ゲートスタートパルスＧＳＰ１２は、第１ゲートスタートパルスＧＳＰ１１の次に続く水平同期信号Ｈｓｙｎｃよりも所定期間αだけ進んだ位相を有する。つまり、第２ゲートスタートパルスＧＳＰ１２は、第１ゲートスタートパルスＧＳＰ１１に比べて、水平同期信号の１周期１Ｈから所定期間αが減算された第２期間（１Ｈ−α）だけ遅れた位相を有する。
【００８２】
これにより、奇数番目のゲートラインＧＬ１、ＧＬ３、…、ＧＬｎ−１に供給される各ゲート信号と、隣接する次の偶数番目のゲートラインＧＬ２、ＧＬ４、…、ＧＬｎに供給される各ゲート信号とは、期間２αの間、同時にイネーブルされる。これにより、奇数番目のゲートラインＧＬ１、ＧＬ３、…、ＧＬｎ−１上の各液晶セルＣＬＣは、水平同期信号の１周期１Ｈと、追加期間である所定期間αとの間、画素データ信号を充電する。
【００８３】
一方、偶数番目のゲートラインＧＬ２、ＧＬ４、…、ＧＬｎ上の各液晶セルＣＬＣは、まず、期間２αの間に、先行の奇数番目のゲートラインＧＬ１、ＧＬ３、…、ＧＬｎ−１上の液晶セルＣＬＣに供給される画素データ信号を充電した後、残りの第２期間（１Ｈ−α）の間、各液晶セルＣＬＣに供給されるブラックデータ信号を充電する。
【００８４】
また、偶数番目のフレームでは、図６Ｂのように、第１ゲートスタートパルスＧＳＰ２１は、第１ゲートスタートパルスＧＳＰ２１の次に続く水平同期信号Ｈｓｙｎｃよりも所定期間αだけ進んだ位相を有し、第２ゲートスタートパルスＧＳＰ２２は、水平同期信号Ｈｓｙｎｃと同一位相を有する。つまり、第２ゲートスタートパルスＧＳＰ２２は、第１ゲートスタートパルスＧＳＰ２１に比べて、水平同期信号の１周期１Ｈから所定期間αが減算された第２期間（１Ｈ−α）だけ遅れた位相を有する。
【００８５】
これにより、偶数番目のゲートラインＧＬ２、ＧＬ４、…、ＧＬｎ−２に供給される各ゲート信号と、隣接する次の奇数番目のゲートラインＧＬ３、ＧＬ５、…、ＧＬｎ−１に供給される各ゲート信号とは、期間２αの間、同時にイネーブルされる。これにより、偶数番目のゲートラインＧＬ２、ＧＬ４、…、ＧＬｎ−２上の各液晶セルＣＬＣは、水平同期信号の１周期１Ｈと、追加期間である所定期間αとの間、画素データ信号を充電する。
【００８６】
一方、奇数番目のゲートラインＧＬ３、ＧＬ５、…、ＧＬｎ−１上の各液晶セルＣＬＣは、まず、期間２αの間に、先行の偶数番目のゲートラインＧＬ２、ＧＬ４、…、ＧＬｎ−２上の液晶セルＣＬＣに供給される画素データ信号を充電した後、残りの第２期間（１Ｈ−α）の間、各液晶セルＣＬＣに供給されるブラックデータ信号を充電する。
【００８７】
この場合、最初の奇数番目のゲートラインＧＬ１上の液晶セルＣＬＣは、第１期間（１Ｈ＋α）の間、信号切替部２０８からのブラックデータ信号ＢＤを充電する。また、最後の偶数番目のゲートラインＧＬｎ上の液晶セルＣＬＣは、第１期間（１Ｈ＋α）の間、データドライバ２０６から信号切替部２０８を介して供給される画素データ信号を充電する。
【００８８】
また、タイミングコントローラ２１０は、外部のシステムから赤色Ｒ、緑色Ｇ、及び青色Ｂの画素データをフレーム単位で入力する。１フレーム単位の赤色Ｒ、緑色Ｇ、及び青色Ｂの画素データは、タイミングコントローラ２１０によって１ライン分ずつ並び替えられると共に、２つのフレームに分割される。この場合、分割された奇数番目のフレームには、奇数番目のゲートラインＧＬ１、ＧＬ３、…、ＧＬｎ−１上の液晶セルＣＬＣに供給される画素データが含まれ、偶数番目のフレームには、偶数番目のゲートラインＧＬ２、ＧＬ４、…、ＧＬｎ上の液晶セルＣＬＣに供給される画素データが含まれる。
【００８９】
このように並び替えられたフレーム単位の赤色Ｒ、緑色Ｇ、及び青色Ｂの画素データは、水平同期信号の２周期２Ｈ毎に、１ライン分ずつデータドライバ２０６に供給される。すると、データドライバ２０６は、水平同期信号の１周期１Ｈ毎に１ライン分の赤色Ｒ、緑色Ｇ、及び青色Ｂの画素データを、アナログ形態の赤色Ｒ、緑色Ｇ、及び青色Ｂの画素データ信号に変換する。このように変換された１ライン分の赤色Ｒ、緑色Ｇ、及び青色Ｂの画素データ信号は、水平同期信号の１周期１Ｈと、所定期間αとを加算した第１期間（１Ｈ＋α）の間、信号切替部２０８及び液晶パネル２０２上の複数のデータラインＤＬ１〜ＤＬｍを介して、１ライン分の液晶セルＣＬＣにそれぞれ充電される。
【００９０】
このように、本発明の実施の形態２に係る液晶表示装置によれば、画素データ信号及びブラックデータ信号が、ライン及びフレームの変更によって交互に液晶パネル２０２上の液晶セルＣＬＣに充電されるので、モーションブラー現象の発生及び残像の発生が最小化される。
また、画素データ信号の充電時間が、水平同期信号の１周期１Ｈよりも長くなり、画素データ信号が、正確に液晶パネル２０２上の液晶セルＣＬＣに充電される。よって、液晶パネル２０２上に表示される画像の画質を高画質に改善することができる。
【００９１】
図８は、図５の信号切替部２０８を詳細に説明する説明図である。図８に示すように、信号切替部２０８は、液晶パネル２０２上のデータラインＤＬ１〜ＤＬｍにそれぞれ接続された第１〜第ｍ制御用スイッチＳＷ１〜ＳＷｍを備える。
第１〜第ｍ制御用スイッチＳＷ１〜ＳＷｍの基準接点は、液晶パネル２０２上のデータラインＤＬ１〜ＤＬｍにそれぞれ接続される。第１〜第ｍ制御用スイッチＳＷ１〜ＳＷｍの第１選択接点は、全てデータドライバ２０６に接続される。第１〜第ｍ制御用スイッチＳＷ１〜ＳＷｍの第２選択接点は、タイミングコントローラ２１０からのブラックデータ信号を共通に入力する。
【００９２】
このような第１〜第ｍ制御用スイッチＳＷ１〜ＳＷｍは、タイミングコントローラ２１０からのソースイネーブル信号ＳＯＥに応答し、ブラックデータ信号ＢＤ及びデータドライバ２０６からの画素データ信号を選択的に液晶パネル２０２上のデータラインＤＬ１〜ＤＬｍに向けて伝送する。例えば、ソースイネーブル信号ＳＯＥが基底論理（すなわち、ロー論理レベル）である場合、第１〜第ｍ制御用スイッチＳＷ１〜ＳＷｍは、データドライバ２０６からの画素データ信号を液晶パネル２０２上のデータラインＤＬ１〜ＤＬｍに向けて伝送する。反対に、ソースイネーブル信号ＳＯＥが特定論理（すなわち、ハイ論理レベル）である場合、第１〜第ｍ制御用スイッチＳＷ１〜ＳＷｍは、タイミングコントローラ２１０からのブラックデータ信号ＢＤを液晶パネル２０２上のデータラインＤＬ１〜ＤＬｍに供給する。
【００９３】
図９は、図５の極性信号発生部２１０Ａを詳細に説明するブロック図である。図９の極性信号発生部２１０Ａは、極性信号発生器３００と、第１〜第３遅延器３０２、３０４、３０６と、極性信号発生器３００及び第１〜第３遅延器３０２、３０４、３０６からの第１〜第４極性反転信号ＰＯＬ１〜ＰＯＬ４を入力する選択器３１０と、垂直同期信号Ｖｓｙｎｃに応答する循環カウンタ３２０とを備える。
【００９４】
極性信号発生器３００は、水平同期信号Ｈｓｙｎｃを１／４の比率で周波数分周して、図７に示すような第１極性信号ＰＯＬ１を発生する。第１〜第３遅延器３０２、３０４、３０６は、極性信号発生器３００に従属接続される。また、第１〜第３遅延器３０２、３０４、３０６は、前段の極性信号発生器３００、第１遅延器３０２または第２遅延器３０４からの極性反転信号を水平同期信号の１周期１Ｈ毎に遅延させる。
【００９５】
つまり、第１遅延器３０２は、極性信号発生器３００からの第１極性反転信号ＰＯＬ１を水平同期信号の１周期１Ｈ遅延させて、図７のような第２極性反転信号ＰＯＬ２を発生する。第２遅延器３０４は、第１遅延器３０２からの第２極性反転信号ＰＯＬ２を再び水平同期信号の１周期１Ｈ遅延させて、図７のような第３極性反転信号ＰＯＬ３を発生する。第３遅延器３０６は、第２遅延器３０４からの第３極性反転信号ＰＯＬ３を再び水平同期信号の１周期１Ｈ遅延させて、図７のような第４極性反転信号ＰＯＬ３を発生する。選択器３１０は、極性信号発生器３００及び第１〜第３遅延器３０２、３０４、３０６からの第１〜第４極性反転信号ＰＯＬ１〜ＰＯＬ４のいずれか１つを選択して、図５に示すデータドライバ２０６に供給する。
【００９６】
循環カウンタ３２０は、垂直同期信号Ｖｓｙｎｃの立ち上がりまたは立ち下がりエッジのいずれか一方が入力される度に「１」ずつ加算カウントし、そのカウントデータを選択制御信号として選択器３１０に供給する。循環カウンタ３２０から出力されるカウントデータは、「０」から「３」までの値を循環・反復して取る。
これにより、循環カウンタ３２０からのカウントデータに応答する選択器３１０は、４ｋ＋１番目のフレームでは、第１極性反転信号ＰＯＬ１を、４ｋ＋２番目のフレームでは、第２極性反転信号ＰＯＬ２を、４ｋ＋３番目のフレームでは、第３極性反転信号ＰＯＬ３を、４ｋ＋０番目のフレームでは、第４極性反転信号ＰＯＬ４を図５に示すデータドライバ２０６に供給する。
【００９７】
前述したように、本発明の実施の形態２に係る液晶表示装置によれば、液晶パネル２０２上の液晶セルＣＬＣの充電時間が、水平同期信号の１周期１Ｈよりも長くなるようにし、画素データ信号が、液晶パネル２０２上の液晶セルＣＬＣに正確に充電されるようにする。よって、本発明の実施の形態２に係る液晶表示装置は、高いフレーム周波数でも高画質の画像を提供することができる。
【００９８】
また、本発明の実施の形態２に係る液晶表示装置によれば、画素データ信号及びブラックデータ信号が、ライン及びフレームの変更によって交互に液晶パネル２０２上の液晶セルＣＬＣに充電されるので、モーションブラー現象の発生及び残像の発生が最小化される。
また、画素データ信号の充電時間が、水平同期信号の１周期１Ｈよりも長くなり、画素データ信号が、正確に液晶パネル２０２上の液晶セルＣＬＣに充電される。よって、本発明の実施の形態２に係る液晶表示装置は、液晶パネル２０２上に表示される画像の画質を高画質に改善するとともに、残像がほとんどない画像を提供することができる。
【００９９】
以上のように、本発明を図面に示す各実施の形態に限定して説明したが、本発明の属する技術分野における通常の知識を有する者であれば、本発明の技術思想を逸脱しない範囲で多様な変更及び修正が可能であろう。従って、本発明の技術的範囲は、明細書の詳細な説明に記載された内容に限定されるのでなく、特許請求の範囲により定められるべきである。
【図面の簡単な説明】
【０１００】
【図１】本発明の実施の形態１に係る液晶表示装置の概略構成を説明するブロック図である。
【図２】図１の液晶パネルに形成された画素を詳細に説明する説明図である。
【図３Ａ】図１の液晶パネルにおいて、２ドット反転方式で奇数番目のフレームに映像データが充電された場合の極性分布を示す説明図である。
【図３Ｂ】図１の液晶パネルにおいて、２ドット反転方式で偶数番目のフレームに映像データが充電された場合の極性分布を示す説明図である。
【図４】図１の液晶表示装置で発生するゲート信号及び画素データ信号を説明する波形図である。
【図５】本発明の実施の形態２に係る液晶表示装置の概略構成を説明するブロック図である。
【図６Ａ】奇数番目のフレームについて、図５の液晶表示装置の各部分から出力される信号を説明する波形図である。
【図６Ｂ】偶数番目のフレームについて、図５の液晶表示装置の各部分から出力される信号を説明する波形図である。
【図７】図５の極性信号発生部で発生する極性反転信号を説明する波形図である。
【図８】図５の信号切替部を詳細に説明する説明図である。
【図９】図５の極性信号発生部を詳細に説明するブロック図である。
【符号の説明】
【０１０１】
１０２、２０２  液晶パネル、１０４、２０４  ゲートドライバ、１０６、２０６  データドライバ、１０８、２１０  タイミングコントローラ、２０８  信号切替部、２１０Ａ  極性信号発生部、３００  極性信号発生器、３０２、３０４、３０６  遅延器、３１０  選択器、３２０  循環カウンタ、ＣＬＣ  液晶セル、ＭＴ  薄膜トランジスタ。
【図１】
0004787146.tif 000002
【図２】
0004787146.tif 000003
【図３Ａ】
0004787146.tif 000004
【図３Ｂ】
0004787146.tif 000005
【図４】
0004787146.tif 000006
【図５】
0004787146.tif 000007
【図６Ａ】
0004787146.tif 000008
【図６Ｂ】
0004787146.tif 000009
【図７】
0004787146.tif 000010
【図８】
0004787146.tif 000011
【図９】
0004787146.tif 000012